(57)【要約】【課題】  ランプ寿命が尽きてもそのランプを交換するだけで，ランプ点灯用回路，陰イオン発生器などの部品は繰返し使用可能とする。【解決手段】  ランプ６ｂ，７を脱着自在に接続するランプ接続部６ａと回路収納部３０ａを有するソケット本体３０と，ランプ接続部に接続され，電源に接続するための電極部４０と，ランプ接続部に設けられ，異なるランプを装着する複数のランプ装着口と，ソケット本体に形成される通気口から陰イオンを発生可能な陰イオン発生器１０と，回路収納部に収納され，電極部を介して接続される電源により駆動して，陰イオン発生器から陰イオンを発生させる陰イオン発生用回路とを備える。【選択図】    図２
2006196187.tif 000002
【特許請求の範囲】
【請求項１】
ランプを脱着自在に接続するランプ接続部と回路収納部を有するソケット本体と，
前記ランプ接続部に接続され，電源に接続するための電極部と，
前記ランプ接続部に設けられ，異なるランプを装着する複数のランプ装着口と，
前記ソケット本体に形成される通気口から陰イオンを発生可能な陰イオン発生器と，
前記回路収納部に収納され，前記電極部を介して接続される電源により駆動して，前記陰イオン発生器から陰イオンを発生させる陰イオン発生用回路と，
を備えたことを特徴とするランプソケット。
【請求項２】
前記ランプ装着口は，蛍光ランプを装着するための蛍光ランプ装着口と，電球を装着するための電球装着口とを備え，
前記電球装着口は，前記電極部に接続しており，
前記蛍光ランプ装着口は，前記回路収納部に設けられた蛍光ランプ点灯用回路を介して前記電極部に接続していることを特徴とする請求項１に記載のランプソケット。
【請求項３】
前記ソケット本体の通気口は，前記回路収納部と前記ランプ接続部との間に形成されることを特徴とする請求項１又は２に記載のランプソケット。
【請求項４】
前記イオン発生器は，両端部に前記通気口を形成した円筒状に構成され，
円筒状のプラス電極と，
前記プラス電極の軸方向に，前記両端部の通気口に向けてそれぞれ延出して配設された棒状のマイナス電極と，
前記プラス電極と前記マイナス電極との間に介在する絶縁体とを設けたことを特徴とする請求項１〜３のいずれかに記載のランプソケット。
【発明の詳細な説明】
【技術分野】
【０００１】
本発明は，蛍光ランプや電球などのランプを接続するランプソケットに関する。
【背景技術】
【０００２】
陰イオンにより室内の空気を浄化する機器例えば空気清浄機には，室内の空気を対流させながら，陰イオン発生装置によって陰イオン（マイナスイオン）を放出することにより，室内の不快なにおいを除去し，においの原因となるカビや細菌などを除去して，快適な室内環境を作るものがある。
【０００３】
しかし，このような空気清浄機は，その内部に上記陰イオン発生装置の他に，室内空気を対流させる送風装置をつける必要があるため，空気清浄機が大型化して設置場所を考慮しなければならないという問題があった。
【０００４】
この点，例えば図１に示すように蛍光ランプ１ａ又は１ｂ自体にイオン発生装置を設けたものもある（例えば特許文献１〜３等）。
【０００５】
【特許文献１】韓国特許１９９７−６０４７号明細書
【特許文献２】韓国登録実用新案２０−０２６５６９３号明細書
【特許文献３】韓国特許公開２００２−００７８７９２号明細書
【発明の開示】
【発明が解決しようとする課題】
【０００６】
ところが，このような蛍光ランプでは，陰イオン発生装置がランプ点灯用回路及び蛍光ランプと一体となっていて切離すことができないため，蛍光ランプの寿命が尽きれば，ランプ点灯用回路と陰イオン発生装置は未だ使用可能であっても一緒に廃棄しなければならないという問題があった。
【０００７】
そこで，本発明は，このような問題に鑑みてなされたもので，その目的とするところは，ランプ寿命が尽きてもそのランプを交換するだけで，ランプ点灯用回路，陰イオン発生器などの部品は繰返し使用できるランプソケットを提供することにある。
【課題を解決するための手段】
【０００８】
上記課題を解決するために，本発明によれば，ランプを脱着自在に接続するランプ接続部と回路収納部を有するソケット本体と，前記ランプ接続部に接続され，電源に接続するための電極部と，前記ランプ接続部に設けられ，異なるランプを装着する複数のランプ装着口と，前記ソケット本体に形成される通気口から陰イオンを発生可能な陰イオン発生器と，前記回路収納部に収納され，前記電極部を介して接続される電源により駆動して，前記陰イオン発生器から陰イオンを発生させる陰イオン発生用回路とを備えたことを特徴とするランプソケットが提供される。
【０００９】
この場合，上記ランプ装着口は，蛍光ランプを装着するための蛍光ランプ装着口と，電球を装着するための電球装着口とを備え，前記電球装着口は，前記電極部に接続し，前記蛍光ランプ装着口は，前記回路収納部に設けられた蛍光ランプ点灯用回路を介して前記電極部に接続するようにしてもよい。
【００１０】
このような本発明によれば，ランプを脱着自在に装着するソケット本体に陰イオン発生器を設けるため，ランプの寿命が尽きれば，ランプだけを交換すれば足り，ランプ点灯用回路や陰イオン発生用回路を廃棄することなく，繰返し利用することができる。これにより，ランプの寿命が尽きただけで，未だ利用できる蛍光ランプ点灯回路などの電子部品も産業廃棄物として廃棄することを防止することができ，物資節約と環境汚染を減らすことができる。また，１つのランプソケットで蛍光ランプ，電球など異なる種類のランプを選択的に接続可能であるため，使い勝手がよいランプソケットを提供できる。
【００１１】
また，上記ソケット本体の通気口は，前記回路収納部と前記ランプ接続部との間に形成されるようにしてもよい。これにより，通気口からは陰イオンが放出されるとともに，ランプの点灯によりランプ接続部で発生する熱も放出することができる。このため，ランプ接続部からの熱が回路収納部に伝達することを防止することができる。
【００１２】
また，上記陰イオン発生器は，両端部に前記通気口を形成した円筒状に構成され，円筒状のプラス電極と，前記プラス電極の軸方向に，前記両端部の通気口に向けてそれぞれ延出して配設された棒状のマイナス電極と，前記プラス電極と前記マイナス電極との間に介在する絶縁体とを設けるようにしてもよい。これにより，マイナス電極とプラス電極の放電が陰イオン発生器の内部でだけ行われるようになるので，陰イオン発生器からの陰イオンを効率的に放出させることができる。
【発明の効果】
【００１３】
本発明によれば，ランプ寿命が尽きてもそのランプを交換するだけで，ランプ点灯用回路，陰イオン発生器などの部品は繰返し使用できる。これによりランプの寿命が尽きただけで，未だ利用できる蛍光ランプ点灯回路などの電子部品も産業廃棄物として廃棄することを防止することができ，物資節約と環境汚染を減らすことができる。
【発明を実施するための最良の形態】
【００１４】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１５】
本発明の実施形態にかかるランプソケットの外観図を図２に示す。図３は図２に示すランプソケットの組立斜視図である。図４は図２に示すランプソケットの断面図である。本実施形態にかかるランプソケット１は，後述する陰イオン発生装置を内蔵するとともに，ランプソケット１のランプ接続面６に複数種類のランプ例えば蛍光ランプ２と電球３とを選択して接続することができるように構成されている。
【００１６】
より詳細に説明すると，本実施形態にかかるランプソケット１は，図２に示すように蛍光ランプ２又は電球３を接続するソケット本体３０と，このソケット本体の下端に取付けられ，口金８を設ける電極部４０と，ソケット本体３０の外周面を覆う円筒状の外枠２０とを備える。これらソケット本体３０，外枠２０，電極部４０はそれぞれ別個に構成され，組立られて一体となる。
【００１７】
ソケット本体３０は，ランプを脱着自在に接続するランプ接続面６を有するランプ接続部６ａと，各種回路を収納する回路収納部３０ａを備える。ランプ接続面６には，蛍光ランプ２又は電球３を選択して接続可能に構成されている。すなわち，ランプ接続面６には蛍光ランプ２を電気的に接続する端子を有する蛍光ランプ装着口７が設けられるとともに，電球３の口金を装着する電球装着口６ｂが設けられている。また，蛍光ランプ２のベースを装着可能な突起４を形成するようにしてもよい。
【００１８】
ソケット本体３０には，図４にも示すように電球装着口６ｂの下方に，陰イオン（マイナスイオン）を発生する陰イオン発生器１０が設けられている。この陰イオン発生器１０は，ソケット本体３０に蛍光ランプ２又は電球３が装着されて電極部４０が電源に接続されたときに陰イオンを発生する。
【００１９】
またソケット本体３０には，陰イオン発生器１０から発生する陰イオンを放出する通気口５が形成されている。この通気口５は外枠２０に形成された通気孔２０ａと連通している。これにより，陰イオン発生器１０から発生する陰イオンを通気口５及び通気孔２０ａを介して外部へ放出することができる。また，通気口５はランプ接続部６ａと回路収納部３０ａとの間に形成されている。これにより，陰イオン発生器１０で発生する熱やランプ接続部６ａで発生する熱を通気口５を介して外部へ放出することができ，また陰イオン発生器１０で発生する熱やランプ接続部６ａで発生する熱を回路収納部３０ａと遮断することができる。
【００２０】
外枠２０はソケット本体３０の回路収納部３０ａの上縁部外周面にねじ１４を形成して螺合している。これにより，外枠２０をソケット本体３０から容易に取外すことができる。また，また，外枠２０をソケット本体３０から容易に取外すことができるので，ランプソケット１の長時間の使用により，ソケット本体３０の通気口５などに付着するチリやほこりなどの異物を排除しやすい。
【００２１】
また，ソケット本体３０の回路収納部３０ａの内部には，上下２段に分けて電子部品を装着してなる各回路例えば蛍光ランプ点灯用回路１５，陰イオン発生用回路１６における円板状の電子回路基板が装着されている。これらは電極部４０を介して接続される電源により駆動される。
【００２２】
また，上記ソケット本体３０の通気口５は回路収納部３０ａの上部に設けられているため，この回路収納部３０ａにより発生した熱もソケット本体３０の通気口５から放出可能である。また，回路収納部３０ａの下端に接続される電極部４０の側面下方よりには，各回路１５，１６より発生した熱を放出する熱放出孔９が設けられている。なお，上段の陰イオン発生用回路１６で発生した熱は通気口５から放出され易く，下段の蛍光ランプ点灯用回路１５で発生した熱は熱放出孔９から放出され易い。このように，各回路１５，１６より発生した熱はソケット本体３０の通気口５と電極部４０の熱放出孔９の両方から放出可能であるため，熱放出効率がよい。
【００２３】
ここで，上記陰イオン発生器１０の構成について図５，図６に基づいて説明する。図５は本実施形態にかかるランプソケットに例えば筒状の陰イオン発生器を取付ける場合の構成例である。図６は図５に示す陰イオン発生器１０の断面図である。陰イオン発生器１０は円筒状のプラス電極１１とこのプラス電極１１の軸方向に配設され，棒状に形成されたマイナス電極１２とを備える。ソケット本体３０の縦方向の軸を中心として陰イオンの放出口となる通気口５は陰イオン発生器１０の両端部に形成されている。
そして，マイナス電極１２は陰イオン発生器１０の両端部の通気口５に向いて配設されている。これにより，陰イオン発生器１０の片方向だけではなく両端部（図５における左右）から陰イオンが放出される。
【００２４】
また，陰イオンの放出がスムーズに行われるように，マイナス電極１２とプラス電極１１の間には例えば円板状の絶縁体１３を介在させている。また，プラス電極１１の外周面にもこの外周面を覆うように円筒状の絶縁体１３を設けている。これにより，マイナス電極１２とプラス電極１１の放電が陰イオン発生器１０内部でだけ行われるようにすることができ陰イオンを効率的に放出することができる。なお，これら電極１１，１２は，電気がよく通る銅（Ｃｏｐｐｅｒ），黄銅，アルミニウムなどで構成するようにしてもよい。
【００２５】
次に，本実施形態にかかるランプソケットの回路構成を図７を参照しながら説明する。図７は，本実施形態にかかるランプソケットの回路構成の概略を示すブロック図である。図７に示すように電極部４０は，口金８を介して電源例えばＡＣ電源に接続可能となっており，電極部４０は電球装着口６ｂに接続している。これにより，電球３を使用するときは，電球３を電球装着口６ｂに接続することにより，電極部４０を介して接続されるＡＣ電源により電球が点灯する。
【００２６】
上記電極部４０には蛍光ランプ点灯用回路１５を介して蛍光ランプ装着口７に接続されいる。これにより，蛍光ランプ２を使用するときは，蛍光ランプ２を蛍光ランプ装着口７に接続することにより，ＡＣ電源からの電流は蛍光ランプ点灯用回路１５により蛍光ランプ２を点灯させるための電流に変換され，蛍光ランプが点灯する。なお，蛍光ランプ点灯用回路１５は，蛍光ランプ２が装着されていなければ無付加状態になり，電気を消耗しないようになっている。
【００２７】
上記電極部４０は，陰イオン発生用回路１６を介して陰イオン発生器１０に接続されている。これにより，陰イオン発生器１０はランプソケット１の電源供給と共に作動して陰イオンが放出される。すなわち，陰イオン発生用回路１６はＡＣ電源からの電圧を増幅器により高電圧に変換して陰イオン発生器１０に供給して陰イオンを発生させる。
【００２８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００２９】
本発明は，蛍光ランプや電球などのランプを接続するランプソケットに適用可能である。
【図面の簡単な説明】
【００３０】
【図１】蛍光ランプの構成を示す外観斜視図。
【図２】本発明の実施形態にかかるランプソケットの構成を示す断面図である。
【図３】図２に示すランプソケットの組立斜視図である。
【図４】図２に示すランプソケットの概略構成を示す断面図である。
【図５】本実施形態にかかるランプソケットに適用可能な陰イオン発生器の構成を示す外観斜視図である。
【図６】図５に示す陰イオン発生器の概略構成を説明する図である。
【図７】本実施形態にかかるランプソケットの回路の概略構成を示すブロック図である。
【符号の説明】
【００３１】
１      ランプソケット
２      蛍光ランプ
３      電球
４      突起
５      通気口
６      ランプ接続面
６ａ    ランプ接続部
６ｂ    電球装着口
７      蛍光ランプ装着口
８      口金
９      熱放出孔
１０      陰イオン発生器
１１      プラス電極
１２      マイナス電極
１３      絶縁体
１４      ねじ
１５      蛍光ランプ点灯用回路
１６      陰イオン発生用回路
２０      外枠
２０ａ    通気孔
３０      ソケット本体
３０ａ    回路収納部
４０      電極部
【図１】
2006196187.tif 000003
【図２】
2006196187.tif 000004
【図３】
2006196187.tif 000005
【図４】
2006196187.tif 000006
【図５】
2006196187.tif 000007
【図６】
2006196187.tif 000008
【図７】
2006196187.tif 000009